(57)【特許請求の範囲】
【請求項１】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ横部(３４)は装着横バー(３２)が前記装着フレーム(３８)に横方向にかけて結合され、少なくとも二つの前記洗濯物かけ(３３)が前記装着横バー(３２)に相互離隔して結合してなされる、突出屈折洗濯物かけ乾燥装置。
【請求項２】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ横部(３４)は少なくとも二つの装着縦バー(３１)が前記装着フレーム(３８)に縦方向にかけて結合され、それぞれの前記装着縦バー(３１)に相互離隔して結合される少なくとも二つの前記洗濯物かけ(３３)中の横方向に整列される少なくとも二つの前記洗濯物かけ(３３)からなり、
前記装着フレーム(３８)には少なくとも二つの装着横バー(３２)が横方向にかけて結合される、突出屈折洗濯物かけ乾燥装置。
【請求項３】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ横部(３４)は横方向および縦方向に相互離隔して配置される少なくとも三つの前記洗濯物かけ(３３)中の横方向に整列される少なくとも二つの前記洗濯物かけ(３３)からなる、突出屈折洗濯物かけ乾燥装置。
【請求項４】
少なくとも二つの前記洗濯物かけ(３３)が前記装着横バー(３２)にスライド可能に結合する、請求項1に記載の突出屈折洗濯物かけ乾燥装置。
【請求項５】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ(３３)には洗濯物が屈折されてかけられる端部に洗濯物かけ突起(７１)が形成される、突出屈折洗濯物かけ乾燥装置。
【請求項６】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ(３３)には洗濯物が屈折されてかけられる端部にキャップ(７２)が被せられる、突出屈折洗濯物かけ乾燥装置。
【請求項７】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ横部(３４)をなす前記洗濯物かけ(３３)相互間を連結する連結ワイヤー(７３)を含む、突出屈折洗濯物かけ乾燥装置。
【請求項８】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ横部(３４)をなす前記洗濯物かけ(３３)相互間を連結する洗濯物かけ連結棒(７４)を含む、突出屈折洗濯物かけ乾燥装置。
【請求項９】
弾性変形可能に形成され、前記装着フレーム(３８)に結合され、前記装着フレーム(３８)と前記洗濯物かけ(３３)の間に位置して前記洗濯物かけ(３３)を加圧接触可能に構成することによって、前記洗濯物かけ(３３)にかけられた洗濯物を固定する押圧弾性体(８１)をさらに含む、請求項１に記載の突出屈折洗濯物かけ乾燥装置。
【請求項１０】
弾性変形可能に形成され、前記洗濯物かけ(３３)に結合され、前記装着フレーム(３８)と前記洗濯物かけ(３３)の間に位置して前記洗濯物かけ(３３)を加圧接触可能に構成することによって、前記洗濯物かけ(３３)にかけられた洗濯物を固定する押圧弾性体(８１)をさらに含む、請求項１に記載の突出屈折洗濯物かけ乾燥装置。
【請求項１１】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置され、
前記洗濯物かけ(３３)は前記装着フレーム(３８)に回動可能に結合される、突出屈折洗濯物かけ乾燥装置。
【請求項１２】
装着フレーム(３８)と、前記装着フレーム(３８)に下向き突出形成され、横方向に相互離隔して配置される少なくとも二つの洗濯物かけ(３３)からなる洗濯物かけ横部(３４)を含み、少なくとも二つの前記洗濯物かけ横部(３４)が縦方向に相互離隔して配置される突出屈折洗濯物かけ乾燥装置(３０);および、
前記突出屈折洗濯物かけ乾燥装置を支持する支持手段を含む、洗濯物干し台。
【請求項１３】
前記支持手段は回動連結部(３７)が結合された支持台(４５)を含み、前記回動連結部(３７)に一対の前記突出屈折洗濯物かけ乾燥装置(３０)が回動可能に結合される、請求項１２に記載の洗濯物干し台。
【請求項１４】
前記支持手段は外部構造物に固定され、回動連結部(３７)が結合された垂直支持台(４７)を含み、前記回動連結部(３７)に前記突出屈折洗濯物かけ乾燥装置(３０)が回動可能に結合される、請求項１２に記載の洗濯物干し台。
【発明の詳細な説明】
【技術分野】
【０００１】
本発明は突出屈折洗濯物かけ乾燥装置およびこれを含む洗濯物干し台に関するもので、ただ洗濯物を洗濯物干し竿にかけて両側を垂らして乾燥させる方式の天井洗濯物干し台や床に立てて使うスタンド型洗濯物干し台を使う方式や、洗濯物の一部分を洗濯ばさみなどの弾性体で押圧して把持し、残りの部分をそのまま垂らして洗濯物を乾燥させる方式は、いずれも洗濯物を乾燥させるために、洗濯物を干す時や乾燥した洗濯物を取り上げる時に、洗濯物を一つずつ干したり取り上げたりする動作が非常に不便な問題点を解決するために、横方向と縦方向にそれぞれ突出屈折洗濯物かけが複数備えられ、複数の洗濯物を容易に干したり取り上げることができる突出屈折洗濯物かけ乾燥装置およびこれを含む洗濯物干し台に関するものである。
【背景技術】
【０００２】
一般に、一度に複数の洗濯物を乾燥させるために多様な方式の洗濯物干し台を利用するが、従来のすべての洗濯物干し台は洗濯物を洗濯物干し竿にかけて両側を垂らして乾燥させたり洗濯物の一部分を洗濯ばさみなどの弾性体で押圧して把持し、残りの部分をそのまま垂らして洗濯物を乾燥させる方式となっている。
【０００３】
図１、図２、図３、図４は従来の洗濯物干し台を図示したものであるが、図１は洗濯物干し台のフレーム５５を天井に固定し、洗濯物干し竿５１を手動または電動で天井側に上げたり下げたりする天井洗濯物干し台の中で取っ手５３を引っ張って手動で洗濯物干し竿５１を上げたり下げたりして調節する天井洗濯物干し台を図示したものである。天井に連結される洗濯物干し台のフレーム５５に結合されるXリンクで構成された、いわゆる蛇腹と呼ばれるXリンク組合装置５２が縮んだり伸ばされたりして、洗濯物干し竿５１が上がったり下がったりする。
【０００４】
図２は床に立てて洗濯物干し竿に洗濯物をかけて洗濯物の両側を垂らして乾燥させる方式の洗濯物干し台を示したものである。図１の天井洗濯物干し台や図２の床に立てるスタンド型洗濯物干し台はいずれも一度に複数の洗濯物を乾燥させるために、間隔を置いて配列される複数の洗濯物干し竿５１に、ただ洗濯物をかけて洗濯物干し竿５１の両側に垂らした状態で乾燥させる方式である。
【０００５】
しかし、このような方式は次のような問題点がある。
【０００６】
図示されたように、洗濯物干し竿５１を支持する洗濯物干し竿支持フレーム５０が洗濯物干し竿５１とほぼ同じ平面をなしており、洗濯物干し竿５１に洗濯物をかける時、洗濯物干し竿支持フレーム５０が妨げとなって利用者が洗濯物を両手で掴んで両側に広げた状態ですぐに洗濯物干し竿５１にかけて洗濯物干し竿５１の向こう側に引っ張ることができず、取りあえずは洗濯物を洗濯物干し竿５１にかけてから手を離し、再度洗濯物干し竿５１の向こう側の部分を手に掴んで引っ張らなければならず、非常に不便な問題点がある。
【０００７】
また、洗濯物を一つずつ洗濯物干し竿５１相互間の間の上方に押し上げて洗濯物干し竿５１にかけた後、再度洗濯物を下へ引っ張って洗濯物干し竿５１の両側に概略同等となるように洗濯物が垂れるようにしなければならないため、洗濯物を干すのが非常に不便で時間がかかるという問題点がある。
【０００８】
そして、乾燥した洗濯物を取り上げる時は、洗濯物を一つずつ掴んで洗濯物干し竿５１の上方に引っ張るか洗濯物の片方を引っ張って洗濯物が最後まで洗濯物干し竿５１を越えてくるようにしなければならないので、洗濯物を取り上げる時も一度に取ることができず、一つずつ取らなければならないため、非常に不便で時間がかかるという問題点がある。
【０００９】
図２の拡大部分には洗濯物干し竿支持フレーム５０と洗濯物干し竿５１がほぼ同じ平面をなしていることを詳細に示している。図２の拡大部分を参照すると、洗濯物干し竿５１の端部に洗濯物干し竿５１と直角に結合された洗濯物干し竿支持フレーム５０妨げとなって、利用者が洗濯物を両手で掴んで両側に広げた状態ですぐに洗濯物干し竿５１にかけて洗濯物干し竿５１の向こう側に引っ張ることができず、取りあえずは洗濯物を洗濯物干し竿５１にかけてから手を離し、再度洗濯物干し竿５１の向こう側の部分を掴んで引っ張らなければならない問題点がある。そのため、このような洗濯物干し竿支持フレーム５０は洗濯物干し竿５１を支持する重要な機能があるが、洗濯物干し竿５１に洗濯物をかける時は不便を引き起こす障害物となる。
【００１０】
図３と図４は、洗濯物の一部分を洗濯ばさみなどの弾性体で押圧して把持し、残りの部分をそのまま垂らして洗濯物を乾燥させる方式を図示したものである。図３および図４で図示した洗濯物乾燥方式は次のような問題点がある。
【００１１】
洗濯ばさみフレーム５６に複数の洗濯ばさみ５４が結合されて乾燥させようとするそれぞれの洗濯物の一方を洗濯ばさみ５４で挟み、洗濯物の他方を他の洗濯ばさみ５４で挟んで洗濯物を干さなければならないため、洗濯物を干す時に力が入り過ぎ、不便で時間がかかる問題点がある。そして乾燥した洗濯物を取り上げる時は、それぞれの洗濯物の上部の一側を挟んでいる洗濯ばさみ５４を広げて洗濯物を取り出し、さらに同じ洗濯物の上部の他側を挟んでいる他の洗濯ばさみ５４を広げて洗濯物を取り出さなければならないため、洗濯物を取り上げる時も不便で時間がかかるという問題点がある。
【００１２】
特に、洗濯物の乾燥時に水が浸みて重たくなった洗濯物が落ちないように、洗濯物を強く挟んでいなければならないので洗濯ばさみ５４の弾性力が非常に強く、洗濯物を干すときや洗濯物を取り上げるために洗濯ばさみ５４を広げる時に大きな力が要されるという問題点がある。
【発明の概要】
【発明が解決しようとする課題】
【００１３】
本発明は、複数の洗濯物を一度に乾燥させるために、洗濯物を洗濯物干し台にかける時は、洗濯物干し竿支持フレーム５０に利用者の手や洗濯物が引っかからないようにして利用者が洗濯物を両手で掴んで両側に広げた状態で洗濯物かけ３３にかけてすぐに広げられるようにし、乾燥した洗濯物を洗濯物干し台から取る時は、洗濯物を一つずつ掴んで洗濯物干し竿５１の上方に引っ張るか洗濯物の片方を引っ張って洗濯物が最後まで洗濯物干し竿５１を越えてくるようにして洗濯物を取らずに、一度に複数の洗濯物を容易に取ることができるようにし、洗濯物が離脱しないように強い弾性力で洗濯物を挟むことを不要にして、洗濯物を干すことや取ることが容易で便利に利用できる、突出屈折洗濯物かけ乾燥装置およびこれを含む洗濯物干し台を提供することを目的とする。
【課題を解決するための手段】
【００１４】
以上で説明した通り、本発明による突出屈折洗濯物かけ乾燥装置およびこれを含む洗濯物干し台は複数の洗濯物を一度に乾燥させるために、洗濯物を洗濯物干し台に干す時は、洗濯物干し竿支持フレーム５０に利用者の手や洗濯物が引っかからないようにして利用者が洗濯物の上部分の両側を両手で掴んで両側に広げた状態で洗濯物かけ３３にかけることができるようにし、乾燥した洗濯物を洗濯物干し台から取る時は、洗濯物を一つずつ掴んで洗濯物干し竿５１の上方に引っ張るか洗濯物の片方を引っ張って洗濯物が最後まで洗濯物干し竿５１を越えてくるようにして洗濯物を取らずに、一度に複数の洗濯物を容易に取ることができるようにし、洗濯物が離脱しないように強い弾性力で洗濯物を挟むことを不要にして、洗濯物を干すことや取ることが容易で便利に利用できる、突出屈折洗濯物かけ乾燥装置およびこれを含む洗濯物干し台を提供する。
【００１５】
特に、洗濯物を乾燥させるために、洗濯物干し台にかける時、利用者が洗濯物の上部の両側を両手で掴んで両側に広げた状態で洗濯物かけ３３にかけると他の動作をせずともすぐに洗濯物が下に広げられ、両手で洗濯物が広げられるように掴んだ状態で自由に洗濯物かけ３３にかけることができるので、洗濯物を一つずつ洗濯物干し台にかける時の煩雑で時間がかかる問題点が大きく改善され、乾燥した洗濯物を取り上げる時も、従来の洗濯物干し竿５１を具備する洗濯物干し台は一つずつ洗濯物を取り上げなければならなかったのに対し、本発明の突出屈折洗濯物かけ乾燥装置およびこれを含む洗濯物干し台は複数の洗濯物を一度に取り上げることができ、また洗濯物かけ３３が装着された突出屈折洗濯物かけ乾燥装置３０を下向き傾斜させて洗濯物がおのずと取り上げられるようにすることもでき、非常に便利な洗濯物干し台を提供することができる。
【００１６】
具体的に、前記目的を達成するための本発明の一実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ横部３４は装着横バー３２が前記装着フレーム３８に横方向にかけて結合され、少なくとも二つの前記洗濯物かけ３３が前記装着横バー３２に相互離隔して結合してなされる、突出屈折洗濯物かけ乾燥装置である。
【００１８】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ横部３４は少なくとも二つの装着縦バー３１が前記装着フレーム３８に縦方向にかけて結合され、それぞれの前記装着縦バー３１に相互離隔して結合する少なくとも二つの前記洗濯物かけ３３中の横方向に整列される少なくとも二つの前記洗濯物かけ３３からなり、前記装着フレーム３８には少なくとも二つの装着縦バー３１が縦方向にかけて結合される、突出屈折洗濯物かけ乾燥装置である。
【００１９】
好ましくは、前記装着フレーム３８には少なくとも二つの装着縦バー３１が縦方向にかけて結合され得る。
【００２１】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ横部３４は横方向および縦方向に相互離隔して配置される少なくとも三つの前記洗濯物かけ３３中の横方向に整列される少なくとも二つの前記洗濯物かけ３３からなる、突出屈折洗濯物かけ乾燥装置である。
【００２２】
好ましくは、少なくとも二つの前記洗濯物かけ３３は前記装着横バー３２にスライド可能に結合することができる。
【００２３】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ３３には洗濯物が屈折されてかかる端部に洗濯物かけ突起７１が形成される、突出屈折洗濯物かけ乾燥装置である。
【００２４】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ３３には洗濯物が屈折されてかかる端部にキャップ７２が被せられる、突出屈折洗濯物かけ乾燥装置である。
【００２５】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ横部３４をなす前記洗濯物かけ３３相互間を連結する連結ワイヤー７３を含む、突出屈折洗濯物かけ乾燥装置である。
【００２６】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ横部３４をなす前記洗濯物かけ３３相互間を連結する洗濯物かけ連結棒７４を含む、突出屈折洗濯物かけ乾燥装置である。
【００２７】
好ましくは、弾性変形可能に形成され、前記装着フレーム３８に結合し、前記装着フレーム３８と前記洗濯物かけ３３の間に位置して前記洗濯物かけ３３を加圧接触可能に構成されることによって、前記洗濯物かけ３３にかけられた洗濯物を固定する押圧弾性体８１をさらに含むことができる。
【００２８】
好ましくは、弾性変形可能に形成され、前記洗濯物かけ３３に結合し、前記装着フレーム３８と前記洗濯物かけ３３の間に位置して前記洗濯物かけ３３を加圧接触可能に構成されることによって、前記洗濯物かけ３３にかけられた洗濯物を固定する押圧弾性体８１をさらに含むことができる。
【００２９】
本発明の他の実施態様は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置され、前記洗濯物かけ３３は前記装着フレーム３８に回動可能に結合される、突出屈折洗濯物かけ乾燥装置である。
【００３０】
前記目的を達成するための他の発明は、装着フレーム３８と、前記装着フレーム３８に下向き突出形成され、横方向に相互離隔して配置される少なくとも二つの洗濯物かけ３３からなる洗濯物かけ横部３４を含み、少なくとも二つの前記洗濯物かけ横部３４が縦方向に相互離隔して配置される突出屈折洗濯物かけ乾燥装置３０および前記突出屈折洗濯物かけ乾燥装置を支持する支持手段を含む突出屈折洗濯物かけ乾燥装置を含む洗濯物干し台を提供することができる。
【００３１】
好ましくは、前記支持手段は回動連結部３７が結合された支持台４５を含み、前記回動連結部３７に一対の前記突出屈折洗濯物かけ乾燥装置３０が回動可能に結合され得る。
【００３２】
好ましくは、前記支持手段は外部構造物に固定され、回動連結部３７が結合された垂直支持台４７を含み、前記回動連結部３７に前記突出屈折洗濯物かけ乾燥装置３０が回動可能に結合され得る。
【発明の効果】
【００３３】
本発明による突出屈折洗濯物かけ乾燥装置およびこれを含む洗濯物干し台は、複数の洗濯物を一度に乾燥させるために、洗濯物を洗濯物干し台に干す時、洗濯物干し竿支持フレーム５０に利用者の手や洗濯物が引っかからないようにして利用者が洗濯物の上部の両側を両手で掴んで両側に広げた状態で洗濯物かけ３３にかけて、すぐに広げられるようにする有利な効果を提供する。
【００３４】
また、乾燥した洗濯物を洗濯物干し台から取り上げる時は洗濯物を一つずつ掴んで洗濯物干し竿５１の上方に引っ張るか洗濯物の片方を引っ張って洗濯物が最後まで洗濯物干し竿５１を越えてくるようにして洗濯物を取らずに、一度にいくつかの洗濯物を簡単に取り上げることができるようにし、洗濯物が離脱しないように強い弾性力で洗濯物を掴まないようにして、洗濯物の干しや取り上げが容易で便利に利用できる有利な効果を提供する。
【００３５】
特に、洗濯物を乾燥させるために洗濯物を洗濯物干し台にかける時、利用者が洗濯物の上部の両側を両手で掴んで両側に広げた状態で洗濯物かけ３３にかけると他の動作をせずともすぐに洗濯物が下に広げられ、両手で洗濯物が広げられるように掴んだ状態で自由に洗濯物かけ３３にかけることができるので、洗濯物を一つずつ洗濯物干し台にかける時の煩雑で時間がかかる問題点が大きく改善される利点がある。
【００３６】
また、乾燥した洗濯物を取り上げる時も従来の洗濯物干し竿５１を具備する洗濯物干し台は一つずつ洗濯物を取り上げなければならなかったのに対し、本発明の突出屈折洗濯物かけ乾燥装置およびこれを含む洗濯物干し台は複数の洗濯物を一度に取り上げることもでき、また洗濯物かけ３３が装着された突出屈折洗濯物かけ乾燥装置３０を下向き傾斜させて洗濯物がおのずと取り上げられるようにすることもでき、使い勝手が大きく向上する利点がある。
【図面の簡単な説明】
【００３７】
【図１】従来の天井洗濯物干し台の斜視図。
【図２】従来のスタンド型洗濯物干し台の斜視図と部分拡大図。
【図３】従来の弾性体を利用した洗濯物干し台の斜視図。
【図４】図３の従来の弾性体を利用した洗濯物干し台の正面図。
【図５】本発明の一実施例の突出屈折洗濯物かけ乾燥装置を含む洗濯物干し台の斜視図。
【図６】図５の本発明の一実施例の突出屈折洗濯物かけ乾燥装置を含む洗濯物干し台の正面図。
【図７】本発明の一実施例の突出屈折洗濯物かけ乾燥装置を含む洗濯物干し台に備えられる洗濯物かけを図示した斜視図。
【図８】本発明の一実施例の突出屈折洗濯物かけ乾燥装置を含む洗濯物干し台に備えられる洗濯物かけを図示した正面図。
【図９】本発明の一実施例の突出屈折洗濯物かけ乾燥装置を含む洗濯物干し台に洗濯物がかけられている状態を図示した斜視図。
【図１０】本発明の一実施例の突出屈折洗濯物かけ乾燥装置を含む洗濯物干し台に洗濯物がかけられている状態を図示した正面図。
【図１１】本発明の一実施例の突出屈折洗濯物かけ乾燥装置を含む洗濯物干し台の突出屈折洗濯物かけ乾燥装置が下向き傾斜して洗濯物が下へ下ろされる状態を図示した正面図。
【図１２】本発明の他の一実施例の突出屈折洗濯物かけ乾燥装置を含む洗濯物干し台の斜視図。
【図１３】本発明の突出屈折洗濯物かけ乾燥装置を含む洗濯物干し台の他の一実施例の突出屈折洗濯物かけ乾燥装置の斜視図。
【図１４】本発明の突出屈折洗濯物かけ乾燥装置を含む洗濯物干し台のさらに他の一実施例の突出屈折洗濯物かけ乾燥装置の斜視図。
【図１５】本発明の突出屈折洗濯物かけ乾燥装置を含む洗濯物干し台の第４の一実施例の突出屈折洗濯物かけ乾燥装置の斜視図。
【図１６】本発明の突出屈折洗濯物かけ乾燥装置を含む洗濯物干し台の第５の一実施例の突出屈折洗濯物かけ乾燥装置の斜視図。
【図１７】本発明の突出屈折洗濯物かけ乾燥装置を含む洗濯物干し台の第６の一実施例の突出屈折洗濯物かけ乾燥装置の斜視図
【図１８】図１７に図示された本発明の突出屈折洗濯物かけ乾燥装置を含む洗濯物干し台の第６の一実施例の突出屈折洗濯物かけ乾燥装置に備えられる洗濯物かけの正面図
【図１９】本発明の突出屈折洗濯物かけ乾燥装置を含む洗濯物干し台の突出屈折洗濯物かけ乾燥装置の一部分中の装着フレームと他の一実施例の洗濯物かけの斜視図。
【図２０】本発明の突出屈折洗濯物かけ乾燥装置を含む洗濯物干し台の突出屈折洗濯物かけ乾燥装置の一部分中の装着フレームと他の一実施例の洗濯物かけの正面図。
【図２１】本発明の突出屈折洗濯物かけ乾燥装置を含む洗濯物干し台の突出屈折洗濯物かけ乾燥装置の一部分中の装着フレームとさらに他の一実施例の洗濯物かけの斜視図。
【図２２】本発明のさらに他の一実施例の突出屈折洗濯物かけ乾燥装置を含む洗濯物干し台の斜視図。
【図２３】本発明の第４の一実施例の突出屈折洗濯物かけ乾燥装置を含む洗濯物干し台の斜視図。
【図２４】図２３に図示された本発明の第４の一実施例の突出屈折洗濯物かけ乾燥装置を含む洗濯物干し台の突出屈折洗濯物かけ乾燥装置の一部分中の装着フレームと洗濯物かけの正面図。
【図２５】本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の斜視図。
【図２６】本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の正面図。
【図２７】本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の斜視図。
【図２８】本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の正面図。
【図２９】本発明の第６の一実施例の突出屈折洗濯物かけ乾燥装置を含む洗濯物干し台の突出屈折洗濯物かけ乾燥装置の一部分中の装着フレームと洗濯物かけの正面図。
【図３０】本発明の第６の一実施例の突出屈折洗濯物かけ乾燥装置を含む洗濯物干し台の装着フレームに挿入される押圧弾性体の斜視図。
【図３１】本発明の第６の一実施例の突出屈折洗濯物かけ乾燥装置を含む洗濯物干し台の突出屈折洗濯物かけ乾燥装置の一部分中の装着フレームと洗濯物かけと押圧弾性体とかけられている洗濯物の一部を図示した正面図。
【図３２】本発明の第７の一実施例の突出屈折洗濯物かけ乾燥装置を含む洗濯物干し台の突出屈折洗濯物かけ乾燥装置の一部分中の装着フレームと洗濯物かけと押圧弾性体の正面図。
【図３３】本発明の第８の一実施例の突出屈折洗濯物かけ乾燥装置を含む洗濯物干し台の突出屈折洗濯物かけ乾燥装置の一部分中の装着フレームと洗濯物かけの正面図。
【発明を実施するための形態】
【００３８】
以下、本発明の好ましい実施例を添付された図面を参照して詳細に説明する。本発明の目的、特定の長所および新規の特徴は添付された図面と関連する以下の詳細な説明と好ましい実施例からさらに明白になるであろう。そして本明細書および特許請求範囲に使われた用語や単語は通常的であるか辞書的な意味に限定して解釈されてはならず、発明者は自分の発明を最善の方法で説明するために用語の概念を適切に定義することができるという原則に則って、本発明の技術的思想に符合する意味と概念で解釈されるべきである。そして本発明を説明するにあたって、本発明の要旨を不要に曖昧にし得る関連した公知技術に対する詳細な説明は省略する。
【００３９】
図５は本発明の一実施例の突出屈折洗濯物かけ乾燥装置を含む洗濯物干し台の斜視図、図６は図５の本発明の一実施例の突出屈折洗濯物かけ乾燥装置を含む洗濯物干し台の正面図、図７は本発明の一実施例の突出屈折洗濯物かけ乾燥装置を含む洗濯物干し台に備えられる洗濯物かけを図示した斜視図、図８は本発明の一実施例の突出屈折洗濯物かけ乾燥装置を含む洗濯物干し台に備えられる洗濯物かけを図示した正面図、図９は本発明の一実施例の突出屈折洗濯物かけ乾燥装置を含む洗濯物干し台に洗濯物がかけられている状態を図示した斜視図、図１０は本発明の一実施例の突出屈折洗濯物かけ乾燥装置を含む洗濯物干し台に洗濯物がかけられている状態を図示した正面図、図１１は本発明の一実施例の突出屈折洗濯物かけ乾燥装置を含む洗濯物干し台の突出屈折洗濯物かけ乾燥装置が下向き傾斜して洗濯物が下へ下ろされる状態を図示した正面図、図１２は本発明の他の一実施例の突出屈折洗濯物かけ乾燥装置を含む洗濯物干し台の斜視図、図１３は本発明の突出屈折洗濯物かけ乾燥装置を含む洗濯物干し台の他の一実施例の突出屈折洗濯物かけ乾燥装置の斜視図、図１４は本発明の突出屈折洗濯物かけ乾燥装置を含む洗濯物干し台のさらに他の一実施例の突出屈折洗濯物かけ乾燥装置の斜視図、図１５は本発明の突出屈折洗濯物かけ乾燥装置を含む洗濯物干し台の第４の一実施例の突出屈折洗濯物かけ乾燥装置の斜視図、図１６は本発明の突出屈折洗濯物かけ乾燥装置を含む洗濯物干し台の第５の一実施例の突出屈折洗濯物かけ乾燥装置の斜視図、図１７は本発明の突出屈折洗濯物かけ乾燥装置を含む洗濯物干し台の第６の一実施例の突出屈折洗濯物かけ乾燥装置の斜視図、図１８は図１７に図示された本発明の突出屈折洗濯物かけ乾燥装置を含む洗濯物干し台の第６の一実施例の突出屈折洗濯物かけ乾燥装置に備えられる洗濯物かけの正面図、図１９は本発明の突出屈折洗濯物かけ乾燥装置を含む洗濯物干し台の突出屈折洗濯物かけ乾燥装置の一部分中の装着フレームと他の一実施例の洗濯物かけの斜視図、図２０は本発明の突出屈折洗濯物かけ乾燥装置を含む洗濯物干し台の突出屈折洗濯物かけ乾燥装置の一部分中の装着フレームと他の一実施例の洗濯物かけの正面図、図２１は本発明の突出屈折洗濯物かけ乾燥装置を含む洗濯物干し台の突出屈折洗濯物かけ乾燥装置の一部分中の装着フレームとさらに他の一実施例の洗濯物かけの斜視図、図２２は本発明のさらに他の一実施例の突出屈折洗濯物かけ乾燥装置を含む洗濯物干し台の斜視図、図２３は本発明の第４の一実施例の突出屈折洗濯物かけ乾燥装置を含む洗濯物干し台の斜視図、図２４は図２３に図示された本発明の第４の一実施例の突出屈折洗濯物かけ乾燥装置を含む洗濯物干し台の突出屈折洗濯物かけ乾燥装置の一部分中の装着フレームと洗濯物かけの正面図、図２５は本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の斜視図、図２６は本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の正面図、図２７は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の斜視図、図２８は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の正面図、図２９は本発明の第６の一実施例の突出屈折洗濯物かけ乾燥装置を含む洗濯物干し台の突出屈折洗濯物かけ乾燥装置の一部分中の装着フレームと洗濯物かけの正面図、図３０は本発明の第６の一実施例の突出屈折洗濯物かけ乾燥装置を含む洗濯物干し台の装着フレームに挿入される押圧弾性体の斜視図、図３１は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体とかけられている洗濯物の一部を図示した正面図、図３２は本発明の第７の一実施例の突出屈折洗濯物かけ乾燥装置を含む洗濯物干し台の突出屈折洗濯物かけ乾燥装置の一部分中の装着フレームと洗濯物かけと押圧弾性体の正面図、図３３は本発明の第８の一実施例の突出屈折洗濯物かけ乾燥装置を含む洗濯物干し台の突出屈折洗濯物かけ乾燥装置の一部分中の装着フレームと洗濯物かけの正面図である。
【００４０】
図５は本発明の一実施例の突出屈折洗濯物かけ乾燥装置を含む洗濯物干し台の斜視図、図６は図５の本発明の一実施例の突出屈折洗濯物かけ乾燥装置を含む洗濯物干し台の正面図であるが、これはいずれも洗濯物の乾燥時の洗濯物干し台の状態を示しており、図７は本発明の一実施例の突出屈折洗濯物かけ乾燥装置を含む洗濯物干し台に備えられる突出屈折洗濯物かけを図示した斜視図、図８は本発明の一実施例の突出屈折洗濯物かけ乾燥装置を含む洗濯物干し台に備えられる突出屈折洗濯物かけを図示した正面図であるが、突出屈折洗濯物かけの一側は装着フレーム３８に結合されるようになっており、他側は上方に曲がっている。
【００４１】
図５と図６に図示されたように、二つのコの字型の装着フレーム３８が固定台４６により相互間に広げられた状態で立っている二つの支持台４５に回動連結部３７により回動可能に結合され、上に行くほど左右両側に広げられて斜めに傾いている。
【００４２】
そして、それぞれの装着フレーム３８はそれぞれ両側に装着縦バー３１が備えられ、それぞれの装着縦バー３１の上方端部に装着バー固定台３９が結合されており、それぞれの装着縦バー３１の下方端部に回動連結部３７が結合され、下に位置して突出屈折洗濯物かけ乾燥装置３０を支持する支持台４５と回動可能に結合されている。
【００４３】
ここでそれぞれの装着フレーム３８は二つの装着縦バー３１と装着バー固定台３９で構成され得る。そしてそれぞれの装着縦バー３１には複数の洗濯物かけ３３が洗濯物がかけられる方向に、すなわち外側でありながら上方に突出するように結合されている。
【００４４】
ここで、それぞれの装着フレーム３８に両側に備えられる装着縦バー３１にそれぞれ備えられる洗濯物かけ３３の中で水平位置で互いに対応する洗濯物かけ３３は、利用者が洗濯物の上部の両側を両手で掴んで両側に広げた状態で洗濯物を広げてかけることができる洗濯物かけ横部３４を形成することになるが、装着フレーム３８に両側に備えられる装着縦バー３１には縦方向に複数の洗濯物かけ３３が備えられるので、装着フレーム３８には複数の洗濯物かけ横部３４が形成され、利用者は複数の洗濯物をそれぞれ上部の両側を両手で掴んで両側に広げた状態で洗濯物を広げてかけることができるようになる。
【００４５】
そして、二つの回動連結部３７の間には回動連結部軸２９が備えられて回動連結部３７が強固に結合される。また、装着フレーム３８が支持台４５に回動可能に結合されて一定位置までに回動された状態に回動固定手段４９で固定させる。装着フレーム３８と支持台４５の回動を固定させる方法としては様々な方法があるが、ここでは回動固定手段係止突起４４に回動固定手段４９が係止されて装着フレーム３８と支持台４５の回動が固定される方式を例示している。
【００４６】
図６の縦方向に隣接した二つの洗濯物かけ３３を拡大した図面で図示した通り、二つの洗濯物かけ３３の間に洗濯物かけ３３の間の出入りを遮る障害物がないので洗濯物を乾燥させるために洗濯物かけ３３に洗濯物をかける時、洗濯物を掴んだ利用者の手と利用者の手に掴まれた洗濯物がC方向に自由に出入りできることが分かる。
【００４７】
図７は本発明の一実施例の突出屈折洗濯物かけ乾燥装置を含む洗濯物干し台に備えられる洗濯物かけを図示した斜視図、図８は本発明の一実施例の突出屈折洗濯物かけ乾燥装置を含む洗濯物干し台に備えられる洗濯物かけを図示した正面図である。
【００４８】
図７および図８に図示した通り、洗濯物かけ３３は長さ方向に長く形成され、端部が上方に折り曲げられるように形成され得る。
【００４９】
図９は本発明の一実施例の突出屈折洗濯物かけ乾燥装置を含む洗濯物干し台に洗濯物がかけられている状態を図示した斜視図、図１０は本発明の一実施例の突出屈折洗濯物かけ乾燥装置を含む洗濯物干し台に洗濯物がかけられている状態を図示した正面図である。
【００５０】
図９および図１０に図示した通り、それぞれの洗濯物の上部が両側に広げられてそれぞれの装着フレーム３８に両側に備えられる装着縦バー３１にそれぞれ備えられる洗濯物かけ３３の中で水平位置で互いに対応する洗濯物かけ３３で形成される洗濯物かけ横部３４の両側の洗濯物かけ３３に洗濯物の上部の両側がかけられ、洗濯物の反対部分は自重によってそのまま下に垂らされる。
【００５１】
このように本発明の突出屈折洗濯物かけ乾燥装置を含む洗濯物干し台はそれぞれの装着フレーム３８に両側に備えられる装着縦バー３１にそれぞれ備えられる洗濯物かけ３３の中で水平位置で互いに対応する洗濯物かけ３３で形成される洗濯物かけ横部３４を含む。利用者がこの洗濯物かけ横部３４の両側の洗濯物かけ３３に洗濯物の片方の両側を両手で広げてかけると、洗濯物の反対側の部分は洗濯物の自重によっておのずと下へ垂らされて広げられ、広げられた洗濯物はそのまま乾燥され得る。
【００５２】
ここで、利用者が、上にある洗濯物かけ横部３４の洗濯物かけ３３に先に洗濯物をかけて、次に下にある洗濯物かけ横部３４の洗濯物かけ３３に洗濯物をかけようとする場合、上にある洗濯物かけ横部３４の洗濯物かけ３３にかけられている洗濯物が下へ垂らされており非常に不便であるので、利用者は洗濯物を下にある洗濯物かけ横部３４の洗濯物かけ３３に先にかけてから、上にある洗濯物かけ横部３４の洗濯物かけ３３に洗濯物をかけた方が好ましい。
【００５３】
また、上にある洗濯物かけ横部３４の洗濯物かけ３３は相対的に洗濯物干し台の外側に出ており、下にある洗濯物かけ横部３４の洗濯物かけ３３は相対的に洗濯物干し台の中心側に入っているので、下に垂らされている洗濯物が互いに重なることなく相互離隔することができ、効率的に乾燥することができるのである。
【００５４】
また、洗濯物が乾燥した後、洗濯物を取り上げる時は、それぞれの突出屈折洗濯物かけ乾燥装置３０にかけられている洗濯物の下に垂らされている部分を掴んで、それぞれ図１０に図示されたB方向とB'方向に引っ張ると洗濯物かけ３３に屈折されてかけられていた洗濯物が屈折されずに広がるようになり、洗濯物と洗濯物かけ３３の間のすべり摩擦が減少して容易に取り上げることができる。この時、それぞれの突出屈折洗濯物かけ乾燥装置３０にかけられている複数の洗濯物の垂らされた部分を一度に掴んで、それぞれB方向とB'方向に引っ張ると洗濯物を一度に取り上げることができるのて使用便宜性が高い。
【００５５】
図１１は突出屈折洗濯物かけ乾燥装置が下向き傾斜して洗濯物が下へ下ろされる状態を図示した正面図である。
【００５６】
図１１に図示した通り、支持台４５に回動可能に結合されている突出屈折洗濯物かけ乾燥装置３０がそれぞれA方向とA'方向に回動されて、洗濯物の乾燥時に上にあった装着フレーム３８の上部が下へ下りてくることができる。
【００５７】
この状態では、上に向かって突出していた洗濯物かけ３３の洗濯物が屈折されてかけられる部分がすべて下に向かって突出する状態となるので、洗濯物かけ３３に屈折されてかけられていた洗濯物が屈折状態から広がった状態となり、洗濯物かけ３３と洗濯物の間のすべり摩擦が急激に減少することによって洗濯物がおのずと下に落ちるようになり、利用者は容易に洗濯物を取り上げることができる。
【００５８】
ここで装着フレーム３８が支持台４５に回動されることを固定する回動固定手段４９は回動固定手段係止突起４４から離脱して下に下りていることを示している。
乾燥した洗濯物を取り上げる時は、このように突出屈折洗濯物かけ乾燥装置３０を傾けて洗濯物かけ３３の洗濯物が屈折されてかけられる部分をすべて下を向くようにして簡単に取り上げることもできる。
【００５９】
そして、突出屈折洗濯物かけ乾燥装置３０が洗濯物の乾燥時のような状態で、上に向かって突出している洗濯物かけ３３にかけられている複数の洗濯物の下に垂らされた部分を一度に掴んで、洗濯物干し台の上方に斜めに引っ張ると、洗濯物かけ３３に屈折されてかけられていた洗濯物が屈折状態から広がった状態となり、洗濯物かけ３３と洗濯物の間のすべり摩擦が急激に減少して、洗濯物が容易に滑って一度に複数の洗濯物を簡単に取り上げることができる。
【００６０】
図１２は本発明の他の一実施例の突出屈折洗濯物かけ乾燥装置を含む洗濯物干し台の斜視図である。
【００６１】
図１２に図示した通り、一つの突出屈折洗濯物かけ乾燥装置３０が垂直方向の物体に固定される垂直支持台４７に回動可能に結合され得る。図示された通り、この場合にも洗濯物を乾燥させるために洗濯物かけ３３に洗濯物をかける時、洗濯物を掴んだ利用者の手と利用者の手に掴まれた洗濯物が、縦方向に隣接した洗濯物かけ３３相互間の隙間に自由に出入りすることができる。
【００６２】
そして、洗濯物の乾燥時に装着フレーム３８に結合された洗濯物かけ３３の中で相対的に上に結合された洗濯物かけ３３が下に結合された洗濯物かけ３３より洗濯物をかける利用者側に出ており、相対的に下に結合された洗濯物かけ３３が上に結合された洗濯物かけ３３より洗濯物をかける利用者の反対側に凹んでいるので、洗濯物をかける利用者が下方に位置する洗濯物かけ３３に先に洗濯物をかけて、その次の上方に位置する洗濯物かけ３３に洗濯物をかけて乾燥させることができるようになっている。
【００６３】
そして、洗濯物が乾燥した後、洗濯物を取り上げる時は、突出屈折洗濯物かけ乾燥装置３０をA方向に回動させて洗濯物かけ３３の洗濯物が屈折されてかけられる部分を下を向くようにすると、洗濯物かけ３３に屈折されてかけられていた洗濯物が屈折されずに広がるようになって、洗濯物と洗濯物かけ３３の間のすべり摩擦が減少して洗濯物がおのずと取り上げられる
【００６４】
または、洗濯物の下に垂らされている部分を掴んでB方向に引っ張れば洗濯物かけ３３に屈折されてかけられていた洗濯物が屈折されずに広がるようになって洗濯物と洗濯物かけ３３の間のすべり摩擦が減少して容易に取り上げることができる。
【００６５】
このように突出屈折洗濯物かけ乾燥装置３０を支持する突出屈折洗濯物かけ乾燥装置支持手段は多様に具現することができる。
【００６６】
図１３は本発明の突出屈折洗濯物かけ乾燥装置を含む洗濯物干し台の他の一実施例の突出屈折洗濯物かけ乾燥装置の斜視図である。
【００６７】
図１３に図示した通り、装着フレーム３８が複数の装着横バー３２と二つの装着縦バー３１で構成され、それぞれの装着横バー３２と装着縦バー３１に複数の洗濯物かけ３３が備えられている。
【００６８】
それぞれの装着横バー３２に複数の洗濯物かけ３３が備えられているので、複数の洗濯物かけ３３が横方向に備えられて形成される洗濯物かけ横部３４に複数の洗濯物をかけることができる。
【００６９】
一つの洗濯物かけ横部３４をなす複数の洗濯物かけ３３に一つの洗濯物をかけることもでき、複数の洗濯物をかけることもできる。
【００７０】
図１４は本発明の突出屈折洗濯物かけ乾燥装置を含む洗濯物干し台のさらに他の一実施例の突出屈折洗濯物かけ乾燥装置の斜視図である。
【００７１】
図１４に図示した通り、装着フレーム３８が複数の装着縦バー３１で構成され、装着縦バー３１の端部に固定台３９が結合されており、それぞれの装着縦バー３１に複数の洗濯物かけ３３が備えられている。
【００７２】
それぞれの装着縦バー３１に複数の洗濯物かけ３３が備えられているので、複数の洗濯物かけ３３が横方向に備えられて形成される洗濯物かけ横部３４に複数の洗濯物をかけることができる。一つの洗濯物かけ横部３４の複数の洗濯物かけ３３に一つの洗濯物をかけることもでき複数の洗濯物をかけることもできる。
【００７３】
図１５は本発明の突出屈折洗濯物かけ乾燥装置を含む洗濯物干し台の第４の一実施例の突出屈折洗濯物かけ乾燥装置の斜視図である。
【００７４】
図１５に図示した通り、装着フレーム３８が複数の装着縦バー３１と装着横バー３２で構成され、装着縦バー３１の端部に装着バー固定台３９が結合されており、それぞれの装着縦バー３１と装着横バー３２が交差する位置に洗濯物かけ３３がそれぞれ備えられている。
【００７５】
横方向と縦方向に複数の洗濯物かけ３３が備えられているので、複数の洗濯物かけ３３が横方向に備えられて形成される洗濯物かけ横部３４に複数の洗濯物をかけることができる。一つの洗濯物かけ横部３４をなす複数の洗濯物かけ３３に一つの洗濯物をかけることもでき複数の洗濯物をかけることもできる。
【００７６】
上述した通り、複数の洗濯物かけ３３が横方向と縦方向に結合される装着フレーム３８は装着横バー３２だけで構成してもよく、装着縦バー３１だけで構成してもよく、装着横バー３２と装着縦バー３１をすべて具備してもよく、ただの平面で構成してもよい。
【００７７】
このように、装着フレーム３８は、複数の装着横バー３２または、複数の装着縦バー３１で構成することができ、複数の装着横バー３２および装着縦バー３１で構成することができる。そして装着フレーム３８に複数の洗濯物かけ３３が横方向と縦方向に結合されて突出屈折洗濯物かけ乾燥装置３０を形成することができる。
【００７８】
図１６は本発明の突出屈折洗濯物かけ乾燥装置を含む洗濯物干し台の第５の一実施例の突出屈折洗濯物かけ乾燥装置の斜視図である。
【００７９】
図１６に図示した通り、装着フレーム３８が平面になっており、横方向と縦方向に複数の洗濯物かけ３３が備えられている。複数の洗濯物かけ３３が横方向に備えられて形成される洗濯物かけ横部３４が縦方向に複数形成されており、複数の洗濯物を横方向に広げてかけることが可能である。一つの洗濯物かけ横部３４の複数の洗濯物かけ３３に一つの洗濯物をかけることもでき複数の洗濯物をかけることもできる。
【００８０】
図１７は本発明の突出屈折洗濯物かけ乾燥装置を含む洗濯物干し台の第６の一実施例の突出屈折洗濯物かけ乾燥装置の斜視図であり、図１８は図１７に図示された本発明の突出屈折洗濯物かけ乾燥装置を含む洗濯物干し台の第６の一実施例の突出屈折洗濯物かけ乾燥装置に備えられる突出屈折洗濯物かけの正面図である。
【００８１】
図１７および図１８に図示した通り、装着フレーム３８に複数の装着横バー３２が結合されており、それぞれの装着横バー３２にそれぞれ複数の洗濯物かけ３３が備えられている。ここで、洗濯物かけ３３が図１８に図示されたように、装着横バー３２と結合される部分に横バー挿入孔２８が形成されている。横バー挿入孔２８を貫通して装着横バー３２が挿入され、洗濯物かけ３３は装着横バー３２に沿って横方向にスライディング可能に結合される。
【００８２】
ここで、一つの装着横バー３２に複数の洗濯物かけ３３が備えられ、一つの洗濯物かけ横部３４に複数の洗濯物を横方向に広げてかける時、洗濯物の横幅が広いものをかける時は洗濯物かけ３３の間を広げてかけることができる。そして洗濯物の横幅が狭いものをかける時は洗濯物かけ３３の間を狭めてかけることができるため、効果的に多くの洗濯物をかけることができる。
【００８３】
図１９は本発明の突出屈折洗濯物かけ乾燥装置を含む洗濯物干し台の突出屈折洗濯物かけ乾燥装置の一部分中の、突出屈折洗濯物かけ装着フレームと他の一実施例の突出屈折洗濯物かけの斜視図であり、図２０は本発明の突出屈折洗濯物かけ乾燥装置を含む洗濯物干し台の突出屈折洗濯物かけ乾燥装置の一部分中の、突出屈折洗濯物かけ装着フレームと他の一実施例の突出屈折洗濯物かけの正面図である。
【００８４】
図１９および図２０に図示した通り、装着縦バー３１に洗濯物かけ３３が結合される。本発明の突出屈折洗濯物かけ乾燥装置を含む洗濯物干し台の特徴は、洗濯物の乾燥時には洗濯物かけ３３に洗濯物が屈折されてかけられ、洗濯物の洗濯物かけ３３にかけられる反対側の部分は洗濯物の自重によって下に垂らされるので、洗濯物かけ３３と洗濯物の間のすべり摩擦が大きくなり、洗濯物が滑らないのである。
【００８５】
そして、洗濯物を取り上げる時には、洗濯物かけ３３に屈折されてかけられていた洗濯物を屈折されずに広がるようにして洗濯物かけ３３と洗濯物の間のすべり摩擦を減少させ、洗濯物が洗濯物かけ３３から容易に滑るようにすることによって、洗濯物を容易かつ簡単な動作でかけて乾燥させ、乾燥した洗濯物を容易かつ簡単な動作で取り上げるようにする特徴がある。このような作用が確実になされるためには、洗濯物が洗濯物かけ３３に屈折されてかけられる時は洗濯物かけ３３と洗濯物の間のすべり摩擦が大きくならなければならず、洗濯物かけ３３に屈折されてかけられていた洗濯物が屈折されずに広がる時は洗濯物かけ３３と洗濯物の間のすべり摩擦が確実に小さくならなければならない。
【００８６】
このような条件を充足させるために、洗濯物かけ３３の洗濯物が屈折されてかけられる部分に洗濯物かけ突起７１が形成されているのである。洗濯物かけ突起７１に洗濯物が接触して屈折されると、洗濯物かけ突起７１が洗濯物の表面に挿入されて洗濯物かけ３３と洗濯物の間のすべり摩擦は非常に大きくなる。そして洗濯物を取り上げる時に洗濯物かけ３３に屈折されてかけられていた洗濯物が屈折されずに広がるようになると、洗濯物の表面に挿入されていた洗濯物かけ突起７１が洗濯物の表面と分離されるので洗濯物かけ３３と洗濯物の間のすべり摩擦が減少する。
【００８７】
洗濯物かけ突起７１は、洗濯物が洗濯物かけ３３に屈折されてかけられる時は洗濯物かけ３３と洗濯物の間のすべり摩擦を大きくし、洗濯物かけ３３に屈折されてかけられていた洗濯物が屈折されずに広がる時は洗濯物かけ３３と洗濯物の間のすべり摩擦を確実に小さくするように形成することができ、その形と大きさは多様に形成され得る。
【００８８】
図２１は本発明の突出屈折洗濯物かけ乾燥装置を含む洗濯物干し台の突出屈折洗濯物かけ乾燥装置の一部分中の、突出屈折洗濯物かけ装着フレームとさらに他の一実施例の突出屈折洗濯物かけの斜視図である。図２１に図示した通り、装着縦バー３１に洗濯物かけ３３が結合され得る。そしてそれぞれの洗濯物かけ３３にはキャップ７２が被せられ得る。
【００８９】
キャップ７２は、ゴムのような摩擦の大きい材質で形成され、洗濯物かけ３３の洗濯物が屈折されてかけられる部分に被せるものである。キャップ７２は洗濯物が洗濯物かけ３３に屈折されてかかる時は洗濯物かけ３３と洗濯物の間のすべり摩擦を大きくし、洗濯物かけ３３に屈折されてかけられていた洗濯物が屈折されずに広がる時は洗濯物かけ３３と洗濯物の間のすべり摩擦を減少させる限り、その大きさと形と材質は多様に形成され得る。
【００９０】
図２２は本発明のさらに他の一実施例の突出屈折洗濯物かけ乾燥装置を含む洗濯物干し台の斜視図である。
【００９１】
図２２に図示した通り、洗濯物が横方向に広げられた状態でかけられるように、装着フレーム３８に二つの洗濯物かけ３３が横方向に備えられて形成される洗濯物かけ横部３４の両側の洗濯物かけ３３の間に連結ワイヤー７３が備えられることもある。
【００９２】
連結ワイヤー７３は洗濯物が横方向に広げられた状態で洗濯物かけ横部３４の両側の洗濯物かけ３３にかけられる時、洗濯物の中間部分が下に垂れることを防止する役割をする。
【００９３】
図２３は本発明の第４の一実施例の突出屈折洗濯物かけ乾燥装置を含む洗濯物干し台の斜視図であり、図２４は図２３に図示された本発明の第４の一実施例の突出屈折洗濯物かけ乾燥装置を含む洗濯物干し台の突出屈折洗濯物かけ乾燥装置の一部分中の、装着フレームと洗濯物かけの正面図である。
【００９４】
図２３および図２４に図示した通り、洗濯物が横方向に広げられた状態でかけられるように装着フレーム３８に二つの洗濯物かけ３３が横方向に備えられて形成される洗濯物かけ横部３４の両側の洗濯物かけ３３の間に洗濯物かけ連結棒７４が具備され得る。
【００９５】
洗濯物かけ連結棒７４は洗濯物が横方向に広げられた状態で洗濯物かけ横部３４の両側の洗濯物かけ３３にかけられる時、洗濯物の中間部分が下に垂れることを防止する。そして、図２３に図示されたように、洗濯物かけ連結棒７４を両側の洗濯物かけ３３の間の距離より長くして、両側の洗濯物かけ３３の間の距離より広く横方向に広げられた状態で洗濯物をかける時、両側の洗濯物かけ３３の間ではない、外側に出てくる洗濯物の部分も下に垂れることを防止することができる。
【００９６】
これは図２に図示された従来の洗濯物干し台に類似しているように見えるが、図２に図示された従来の洗濯物干し台は次のような問題点がある。
【００９７】
まず、洗濯物干し竿５１を支持する洗濯物干し竿支持フレーム５０が洗濯物干し竿５１とほぼ同じ平面をなしており、洗濯物干し竿５１に洗濯物をかける時、洗濯物干し竿支持フレーム５０が引っかかって利用者が洗濯物を両手で掴んで両側に広げた状態ですぐに洗濯物干し竿５１にかけて洗濯物干し竿５１向こう側に引くことができない。取りあえずは洗濯物を洗濯物干し竿５１にかけてから手を離し、再度洗濯物干し竿５１の向こう側の部分を掴んで引っ張らなければならず、洗濯物を一つずつ洗濯物干し竿５１相互間の間の上方に押し上げて洗濯物干し竿５１にかけた後、再度洗濯物を下へ引っ張って洗濯物干し竿５１の両側に、洗濯物が概略同等となるように下へ垂れるようにしなければならないため、洗濯物をかけるのが非常に不便で時間がかかるという問題点がある。
【００９８】
また、乾燥した洗濯物を取り上げる時は、洗濯物を一つずつ掴んで洗濯物干し竿５１の上方に引っ張るか洗濯物の片方を引っ張って洗濯物が最後まで洗濯物干し竿５１を越えてくるようにしなければならないという、問題点がある。
【００９９】
反面、図２３および図２４に図示された本発明の第４の一実施例は、装着フレーム３８に洗濯物かけ３３が突出しており、洗濯物かけ３３が突出して洗濯物が屈折されてかけられる部分に洗濯物かけ連結棒７４が結合されるので、装着フレーム３８と洗濯物かけ３３に洗濯物が屈折されてかけられる部分や洗濯物かけ連結棒７４が同じ平面をなしていないので、利用者が洗濯物を乾燥させるために洗濯物かけ３３と洗濯物かけ連結棒７４に洗濯物をかける時、洗濯物を掴んだ利用者の手と利用者の手で掴まれた洗濯物が縦方向に隣接した洗濯物かけ３３と洗濯物かけ連結棒７４相互間の隙間に自由に出入りできる利点がある。
【０１００】
そして、洗濯物を手に掴んだ状態で一度にすぐに洗濯物かけ３３と洗濯物かけ連結棒７４にかけて、洗濯物を取り上げる時には洗濯物かけ３３と洗濯物かけ連結棒７４に屈折されてかけられていた洗濯物が屈折されずに広がるようにして洗濯物かけ３３と洗濯物かけ連結棒７４と洗濯物の間のすべり摩擦を減少させ、洗濯物が洗濯物かけ３３と洗濯物かけ連結棒７４から容易に滑るようにするので、従来とは違って一度に複数の洗濯物を取り上げることができる利点がある。
【０１０１】
特に、装着フレーム３８で洗濯物かけ３３の洗濯物が屈折されてかけられる部分と洗濯物かけ連結棒７４までの間隔が大きいほど、すなわち、洗濯物かけ３３の長さが長いほど洗濯物の乾燥時に洗濯物かけ３３と洗濯物かけ連結棒７４に洗濯物が深くかけられることができるので、滑らず、強固にかけられていることができる。
【０１０２】
図２５は本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の斜視図であり、図２６は本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の正面図である。
【０１０３】
図２５および図２６に図示した通り、装着フレーム３８に押圧弾性体８１が結合される。押圧弾性体８１の弾性が洗濯物かけ３３に作用することになる。押圧弾性体８１は装着フレーム３８には固定結合されるが、洗濯物かけ３３には結合されずに弾力で接触可能に構成される。
【０１０４】
利用者が洗濯物を乾燥させるために、洗濯物を洗濯物かけ３３にかけながら洗濯物かけ３３と押圧弾性体８１の間に洗濯物を挿入すると、押圧弾性体８１が弾性で洗濯物を押圧しながら確実に屈折されるようにするので、洗濯物はさらに強固に洗濯物かけ３３にかけられる。そして、利用者が乾燥した洗濯物を取り上げる時は、洗濯物かけ３３に屈折されてかけられていた洗濯物が屈折されずに広がるようになり、押圧弾性体８１と洗濯物かけ３３の間に挿入されていた洗濯物は押圧弾性体８１と洗濯物かけ３３の間から抜け出る。
【０１０５】
押圧弾性体８１の弾性は、洗濯物の乾燥時に洗濯物を強固に固定しながらも乾燥した洗濯物を取り上げる時は押圧弾性体８１と洗濯物かけ３３の間から洗濯物が容易に抜け出るようにする適当な弾性を有すればよく、その形と大きさは多様に形成することができる。
【０１０６】
そして、押圧弾性体８１が洗濯物と接触して洗濯物を押圧する部分に突起を形成して洗濯物をさらに強固に固定させるようにすることもできる。
【０１０７】
図２７は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の斜視図、図２８は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体の正面図、図２９は本発明の第６の一実施例の突出屈折洗濯物かけ乾燥装置を含む洗濯物干し台の突出屈折洗濯物かけ乾燥装置の一部分中の装着フレームと洗濯物かけの正面図、図３０は本発明の第６の一実施例の突出屈折洗濯物かけ乾燥装置を含む洗濯物干し台の装着フレームに挿入される洗濯物屈折押圧弾性体の斜視図、図３１は本発明の第６の一実施例の突出屈折洗濯物かけ乾燥装置を含む洗濯物干し台の突出屈折洗濯物かけ乾燥装置の一部分中の装着フレームと洗濯物かけと押圧弾性体とかけられている洗濯物の一部を図示した正面図である。
【０１０８】
図２７〜図３１に図示した通り、押圧弾性体８１が装着フレーム３８の内部に挿入されて洗濯物かけ３３に屈折されてかけられる洗濯物が押圧弾性体８１と装着フレーム３８の内部面の間に挿入されて押圧される。
【０１０９】
押圧弾性体８１が装着フレーム３８の内部に挿入される。具体的に図３０に図示された押圧弾性体８１は図２９に図示されたように、装着フレーム３８の内部の収容空間に挿入されて装着される。
【０１１０】
このような構造になったものであっても、作用は図２５と図２６に図示された本発明の第５の一実施例の突出屈折洗濯物かけ乾燥装置を含む洗濯物干し台の突出屈折洗濯物かけ乾燥装置の一部分中の装着フレームと洗濯物かけと押圧弾性体の作用とさほど差はなく、装着フレーム３８への押圧弾性体８１の装着が非常に容易である。
【０１１１】
このように押圧弾性体８１は装着フレーム３８の内部や外部に装着することができ、多様な形態に構成することができ、例示されたものは洗濯物の一側の面だけを押圧するものであるが、洗濯物の両側の面を押圧する構造で実施してもよい。
【０１１２】
図３２は本発明の第７の一実施例の突出屈折洗濯物かけ乾燥装置を含む洗濯物干し台の突出屈折洗濯物かけ乾燥装置の一部分中の装着フレームと洗濯物かけと押圧弾性体の正面図である。
【０１１３】
図３２に図示した通り、押圧弾性体８１が洗濯物かけ３３に結合されて洗濯物かけ３３に屈折されてかけられる洗濯物が押圧弾性体８１と洗濯物かけ３３の間に挿入されて押圧され得る。
【０１１４】
このように洗濯物の乾燥時に、洗濯物かけ３３にかけられた洗濯物を押圧弾性体８１が弾性で押圧しながら確実に屈折されるようにして洗濯物が強固に洗濯物かけ３３にかけられて落ちないようにするために、押圧弾性体８１を装着フレーム３８に装着することもでき洗濯物かけ３３に装着することもできる。
【０１１５】
図３３は本発明の第８の一実施例の突出屈折洗濯物かけ乾燥装置を含む洗濯物干し台の突出屈折洗濯物かけ乾燥装置の一部分中の装着フレームと洗濯物かけの正面図であるが、図示されたように、洗濯物かけ３３がかなり長く、装着フレーム３８に洗濯物かけ回動軸３５で回動可能に結合されて洗濯物かけ３３がそれぞれD方向に回動可能となり得る。
【０１１６】
また、洗濯物かけ３３は洗濯物の乾燥時に洗濯物がかけられていなければならないので、回動ストッパー３６に洗濯物かけ３３が引っかかって過度にD方向の反対方向に回動しないようになっている。洗濯物かけ３３が長いため、洗濯物乾燥後に洗濯物干し台を畳んで保管する時に体積が大きくなることを防止するために、洗濯物かけ３３を回動させて畳むと体積が小さくなり保管が便利となる。
【０１１７】
以上で説明したように、従来の洗濯物干し竿に洗濯物をかける洗濯物干し台は、洗濯物干し竿支持フレーム５０のために洗濯物をかける時や取り上げる時に非常に不便で時間がかかることを、洗濯物がかけられる洗濯物かけ３３と洗濯物かけ３３が結合される装着フレーム３８が同じ平面をなすようにせず離れるようにして不便さを解消する。
【０１１８】
そして、洗濯物ばさみ５４などの弾性体で洗濯物を把持して乾燥させる洗濯物干し台は強い弾性で洗濯物を押圧しなければならないので、洗濯物をかける時や取り上げる時に洗濯物ばさみなどの弾性体を広げるために大きな力が要され、また時間がかかる問題点を解消して便利性を大きく向上させた洗濯物干し台である。
【０１１９】
特に、本発明の突出屈折洗濯物かけ乾燥装置を含む洗濯物干し台は、装着フレーム３８に横方向と縦方向にそれぞれ突出して装着される複数の洗濯物かけ３３に、洗濯物の乾燥時に洗濯物が屈折されてかけられて洗濯物が滑らないようにする方式であるが、洗濯物かけ３３が装着フレーム３８から突出する距離が長いほど、すなわち洗濯物かけ３３の長さが長いほど、洗濯物が深くかけられて滑らなくなるので、洗濯物かけ３３の長さをできるかぎり長くするものの、本発明の突出屈折洗濯物かけ乾燥装置を含む洗濯物干し台の大きさが過度に大きくならないように適切な長さに構成することが好ましい。
【０１２０】
本発明の突出屈折洗濯物かけ乾燥装置を含む洗濯物干し台は前述した実施例に限定されず、本発明の技術思想の許容範囲内で多様に変形して実施できるものである。
【符号の説明】
【０１２１】
２８：横バー挿入孔
２９：回動連結部軸
３０：突出屈折洗濯物かけ乾燥装置
３１：装着縦バー
３２：装着横バー
３３：洗濯物かけ
３４：洗濯物かけ横部
３５：洗濯物かけ回動軸
３６：回動ストッパー
３７：回動連結部
３８：装着フレーム
３９：装着バー固定台
４４：回動固定手段系止突起
４５：支持台
４６：固定台
４７：垂直支持台
４９：回動固定手段
５０：洗濯物干し竿支持フレーム
５１：洗濯物干し竿
５２：Xリンク組合装置
５３：取っ手
５４：洗濯物ばさみ
５５：洗濯物干し台のフレーム
５６：洗濯物ばさみフレーム
７１：洗濯物かけ突起
７２：キャップ
７３：連結ワイヤー
７４：洗濯物かけ連結棒
８１：押圧弾性体
【図１】
0006346287.tif 000002
【図２】
0006346287.tif 000003
【図３】
0006346287.tif 000004
【図４】
0006346287.tif 000005
【図５】
0006346287.tif 000006
【図６】
0006346287.tif 000007
【図７】
0006346287.tif 000008
【図８】
0006346287.tif 000009
【図９】
0006346287.tif 000010
【図１０】
0006346287.tif 000011
【図１１】
0006346287.tif 000012
【図１２】
0006346287.tif 000013
【図１３】
0006346287.tif 000014
【図１４】
0006346287.tif 000015
【図１５】
0006346287.tif 000016
【図１６】
0006346287.tif 000017
【図１７】
0006346287.tif 000018
【図１８】
0006346287.tif 000019
【図１９】
0006346287.tif 000020
【図２０】
0006346287.tif 000021
【図２１】
0006346287.tif 000022
【図２２】
0006346287.tif 000023
【図２３】
0006346287.tif 000024
【図２４】
0006346287.tif 000025
【図２５】
0006346287.tif 000026
【図２６】
0006346287.tif 000027
【図２７】
0006346287.tif 000028
【図２８】
0006346287.tif 000029
【図２９】
0006346287.tif 000030
【図３０】
0006346287.tif 000031
【図３１】
0006346287.tif 000032
【図３２】
0006346287.tif 000033
【図３３】
0006346287.tif 000034